(57)【要約】【課題】鋭意研究による構造工夫により、従来品に比べて接地部材が剥がれ難くなるようにして、実質的に耐久性や信頼性が向上する状態に改善された什器用脚キャップを提供する。【解決手段】什器用脚キャップにおいて、家具類の脚先端４ａを受止め可能な有底筒状のキャップ本体１と、キャップ本体１の底面１ｂ及び側周面９に亘って被さる状態でキャップ本体１に設けられる接地部材２と、接地部材２における側周面９に外囲される側周壁部５及び側周面９に嵌着され、かつ、家具類の脚先端部４に嵌着可能な筒状のキャップ上部３と、を有してなることを特徴とする。【選択図】図１
2015134076.tif 000002
【特許請求の範囲】
【請求項１】
家具類の脚先端を受止め可能な有底筒状のキャップ本体と、
前記キャップ本体の底面及び側周面に亘って被さる状態で前記キャップ本体に設けられる接地部材と、
前記接地部材における前記側周面に外囲される側周壁部及び前記側周面に嵌着され、かつ、家具類の脚先端部に嵌着可能な筒状のキャップ上部と、
を有してなる什器用脚キャップ。
【請求項２】
前記キャップ上部がエラストマー製であるとともに、前記キャップ本体は前記キャップ上部のエラストマーと同質で、かつ、硬度は硬いエラストマーからなる請求項１に記載の什器用脚キャップ。
【請求項３】
前記キャップ本体と前記キャップ上部との何れか一方に形成される凸部と、何れか他方に形成される凹部との嵌合による凹凸嵌合部が設けられている請求項１又は２に記載の什器用脚キャップ。
【請求項４】
前記キャップ上部は、前記接地部材が設けられている状態の前記キャップ本体と一体化されている請求項１〜３の何れか一項に記載の什器用脚キャップ。
【発明の詳細な説明】
【技術分野】
【０００１】
本発明は、テーブルや椅子等の家具類（什器）の脚の下端部に嵌めて使用されるキャップ、即ち、什器用脚キャップに関するものである。
【背景技術】
【０００２】
椅子の脚や食卓用テーブルの脚といった家具類の脚の先端に被せて使用される脚キャップが知られている。これらの脚キャップは、椅子等の引き摺りによって床や脚先に傷が付かないようにする防護機能、或いは、容易に移動しないように安定的に設置させる滑り止め機能を得るために、脚の下端部に装着される。脚のある什器としては、勉強机や会議用机といった机、ベッド、マガジンラックなど種々のものが考えられる。
【０００３】
このような脚キャップの例としては、特許文献１において開示されたものがあり、このものでは、キャップの底面に床面保護用としてシート状の接地部材（１２）を接着している。
【０００４】
しかしながら、下面に接地部材を貼り付けた脚キャップでは、繰り返し床と擦れること、即ち、通常使用での経時により、接地部材が剥がれるとか剥がれて取れたり千切れたりする、という問題が多く出ているのが実情であった。
【先行技術文献】
【特許文献】
【０００５】
【特許文献１】特開２００８−０１７９０１号公報
【発明の概要】
【発明が解決しようとする課題】
【０００６】
本発明の目的は、鋭意研究による構造工夫により、従来品に比べて接地部材が剥がれ難くなるようにして、実質的に耐久性や信頼性が向上する状態に改善された什器用脚キャップを提供する点にある。
【課題を解決するための手段】
【０００７】
請求項１に係る発明は、什器用脚キャップにおいて、
家具類の脚先端４ａを受止め可能な有底筒状のキャップ本体１と、
前記キャップ本体１の底面１ｂ及び側周面９に亘って被さる状態で前記キャップ本体１に設けられる接地部材２と、
前記接地部材２における前記側周面９に外囲される側周壁部５及び前記側周面９に嵌着され、かつ、家具類の脚先端部４に嵌着可能な筒状のキャップ上部３と、
を有してなることを特徴とするものである。
【０００８】
請求項２に係る発明は、請求項１に記載の什器用脚キャップにおいて、
前記キャップ上部３がエラストマー製であるとともに、前記キャップ本体１は前記キャップ上部３のエラストマーと同質で、かつ、硬度は硬いエラストマーからなることを特徴とするものである。
【０００９】
請求項３に係る発明は、請求項１又は２に記載の什器用脚キャップにおいて、
前記キャップ本体１と前記キャップ上部３との何れか一方に形成される凸部１ｔと、何れか他方に形成される凹部３ｃとの嵌合による凹凸嵌合部１０が設けられていることを特徴とするものである。
【００１０】
請求項４に係る発明は、請求項１〜３の何れか一項に記載の什器用脚キャップにおいて、
前記キャップ上部３は、前記接地部材２が設けられている状態の前記キャップ本体１と一体化されていることを特徴とするものである。
【発明の効果】
【００１１】
請求項１の発明によれば、キャップ本体の底面及び側周面に被さる立体的なものに形成されている接地部材の側周壁部が、キャップ本体とキャップ上部とによって挟持支持されている。従って、接地部材はその開放端である上端部がサンドイッチ構造でしっかりと挟まれた状態で支持されているから、接地部材に強い又は重い引き摺り力が、そしてそれらの力が繰り返されても接地部材は剥がれ難く、早期に剥がれないものに改善されている。
その結果、従来品に比べて接地部材が剥がれ難くなるようにして、実質的に耐久性や信頼性が向上する状態に改善された什器用脚キャップを提供することができる。
【００１２】
請求項２の発明によれば、キャップ本体は硬質エラストマー製とされて強度及び剛性に富み、家具類の荷重やは引き摺りの力やその作用に耐えることができる。そして、家具類の脚などに被さるキャップ上部は軟質エラストマー製とされて、弾性に富むことで各種の径の脚類に弾性嵌合可能である、という脚キャップとして好ましいものに構成することができる。
【００１３】
請求項３の発明によれば、互いに嵌合する凸部と凹部とが、キャップ本体とキャップ上部とに振り分け形成されてなる凹凸嵌合部が設けられているので、大型化することなく接触面積を増やすことができて、キャップ本体とキャップ上部との一体化強さが補強される利点がある。
【００１４】
請求項４の発明によれば、接地部材が設けられているキャップ本体にキャップ上部が一体化されているから、キャップ本体、キャップ上部、接地部材の３部品が各別に一体化される場合に比べて、接地部材の側周壁部をキャップ上部とキャップ本体とで強固に挟持しての強固な一体化手段が、生産し易いものとしながら得ることができる利点がある。
【図面の簡単な説明】
【００１５】
【図１】脚キャップの正面図
【図２】（ａ）脚キャップの平面図、（ｂ）脚キャップの底面図
【図３】脚キャップの断面図
【図４】脚キャップの構造を示す分解斜視図
【図５】キャップ本体とキャップ上部との凹凸嵌合構造を示す要部の断面図
【発明を実施するための形態】
【００１６】
以下に、本発明による什器用脚キャップの実施の形態を、図面を参照しながら説明する。なお、以降においては簡単のため、什器用脚キャップは基本的に「脚キャップ」と称呼するものとする。
【００１７】
〔実施形態１〕
図１〜図３に本発明による脚キャップＡが示されている。この脚キャップＡは、硬質エラストマー製のキャップ本体１と、キャップ本体１の下側に装備される接地部材２と、キャップ本体１の上側に配備される軟質エラストマー製のキャップ上部３との３部品を一体化することにより構成されている。実施形態１による脚キャップＡは、軸心Ｐを有する回転体の形状に形成されており、軸心Ｐ方向視で円形を呈している。
図１は、脚キャップＡの使用状況の例を示しており、家具類の脚Ｌに装填されて接地部材２が床Ｆに接地している。
【００１８】
キャップ本体１は、図１，３，４に示すように、本体底壁１Ａと本体側周壁１Ｂとを有してなる有底筒状のエラストマー体である。
比較的肉厚の本体底壁１Ａは、家具類の脚Ｌの脚先端４ａを受止め可能な受止め面１ｃ、接地部材２を貼り付けて設ける下部貼着面である底面１ｂを備えている。
本体側周壁１Ｂには、接地部材２を設置して固定する面である下部側周面１ｄ、下方に行くほど大径となる角度が付けられた傾斜面である上部側周面１ｅ（側周面９）、内周面１ａ、及び上部側周面１ｅと内周面１ａとに連なる幅の狭い環状上面１ｆを備えている。
【００１９】
上部側周面１ｅの下端の径は、一例として、下部側周面１ｄの上端の径に接地部材２の厚みの２倍を加えた値に設定される。
また、本体側周壁１Ｂには、軸心Ｐに関して対称となる位置において上方突出する突起部である一対の凸部１ｔ，１ｔが形成されている。凸部１ｔの内側面は、内周面１ａと面一の面となっている。
【００２０】
接地部材２は、図１〜図４に示すように、略茶碗形状（又は有底筒状形状）に形成されたフェルトからなる。このフェルトでなる接地部材２は、本体側周壁１Ｂの下部側周面１ｄに外装される側周壁部５、本体底壁１Ａの底面１ｂに外装される底面部分６、及び、これら側周壁部５と底面部分６とを繋ぐ曲面部分７とを有している。接地部材２は、接着材などを用いてキャップ本体１を外囲する状態で貼着（接着）されている。
【００２１】
キャップ上部３は、図１〜図５に示すように、家具類の脚Ｌの脚先端部４に密外嵌可能とすべく比較的小径の窄まり上部３Ｂと、全体的に窄まり上部３Ｂよりも大径な上部本体３Ａとを有する下拡がり状の筒体に構成されている。このキャップ上部３は、キャップ本体１のエラストマーと材質は同じであるが硬度は硬いエラストマー製とされている。
上部本体３Ａには、キャップ本体１の上部側周面１ｅ、環状上面１ｆに外囲する面である傾斜内周面３ａ、及び環状底面３ｂが形成されるとともに、凸部１ｔを内嵌させるために凹入形成された内嵌部である凹部３ｃを備えている。
また、上部本体３Ａは、下方ほど薄肉となる状態で接地部材２の側周壁部５を外囲する下端周壁部８を有している。なお、上部側周面１ｅと下部側周面１ｄとをまとめて側周面９と呼ぶものとする。
【００２２】
要するに、脚キャップＡは、家具類の脚Ｌの脚先端４ａを受止め可能な受止め面１ｃを備える有底筒状のキャップ本体１と、キャップ本体１の底面１ｂ及び下部側周面１ｄに亘って被さる状態でキャップ本体１に設けられる接地部材２と、接地部材２におけるキャップ本体１の下部側周面１ｄに外囲される側周壁部５及びキャップ本体１の上部側周面１ｅに嵌着され、かつ、家具類の脚Ｌの脚先端部４に嵌着可能な筒状のキャップ上部３と、を有して構成されている。
【００２３】
脚キャップＡの作製方法の例としては、次のとおりに行う。まず、フェルトでなる接地部材２を型に入れておき、それから型に硬質エラストマー樹脂をインジェクションしてキャップ本体１を成形するインサート成形を行う。次いで、接地部材２が一体化されたキャップ本体１を型に設置してから、軟質エラストマー樹脂をインジェクションしてキャップ上部３を成形するインサート成形を行う。
この言わば二段階インサート成形により、キャップ本体１、接地部材２、キャップ上部３の三者が強固に一体化された丈夫な脚キャップＡを形成することが可能である。
【００２４】
なお、キャップ上部３を軟質ゴム製とし、キャップ本体１を硬質ゴム製として上記の二段階インサート成形を行うとともに、その後の加熱処理による加硫によって接地部材２をキャップ本体１に加硫接着するととにより、３部品（キャップ本体１、接地部材２、キャップ上部３）が一体化された脚キャップＡを形成しても良い。
また、先に成形されているキャップ本体１に接着剤などを用いて接地部材２を貼着し、それからキャップ上部３をインサート成形する、という方法、或いその他の製法も可能である。
【００２５】
上述のように構成された脚キャップＡは、図３，図５に示すように、立体的な形状に形成されている接地部材２は、その側周壁部５をキャップ本体１とキャップ上部３とで挟まれた状態で、つまりは強固に一体化されている。そのため、家具類の脚Ｌに装着されて繰り返し引き摺られるなどされても、早期に剥がれる不都合なく、長期に亘って持ち応える耐久性が発揮されるものとなっている。
【００２６】
フェルトやプラスチック、或いはゴムなどによる接地部材が平面状の底面に単に貼られた従来構造のものでは、引き摺りなどの外力により、比較的簡単に、或いは早期に接地部材が剥がれたり破れたりする不都合が生じていた。
これに対して、立体的な形状に形成された接地部材２の上部である側周壁部５が挟持支持される構造を採る本発明品の脚キャップＡでは、強い又は重い引き摺りが、又はそれらが繰り返されても接地部材２が剥がれ難くなっており、早期に剥がれないものに改善されている。
【００２７】
キャップ本体１とキャップ上部３とは、互いに内外に密に被さり、かつ、凸部１ｔと凹部３ｃとによる凹凸嵌合部１０も有していて接触面積が増大されているので、強固に一体化されている。つまり、キャップ本体１とキャップ上部３との一体化強さを補強する凹凸嵌合部１０が設けられている。
そして、キャップ本体１は硬質エラストマー製とされて強度及び剛性に富むので、家具類（什器）の荷重やは引き摺りの力やその作用に耐えるものになっている。家具類（什器）の脚Ｌなどに被さるキャップ上部３は軟質エラストマー製とされて、弾性（弾力）に富むことで各種の径の脚類に弾性嵌合可能な好ましいものに構成されている。
【００２８】
また、キャップ上部３は、接地部材２が設けられている状態のキャップ本体１と一体化されているので、キャップ上部３と接地部材２とキャップ本体１との３部品を一挙に一体化する場合に比べて、キャップ上部３とキャップ本体１との一体化が行い易いものとしながら、接地部材２の側周壁部５をキャップ上部３とキャップ本体１とで強固に挟持しての一体化も可能となる優れものである。
【００２９】
〔別実施形態〕
キャップ本体１の底面１ｂが球状であり、従って接地部材２の底面部分６も球状となる形状など、脚キャップＡの形状は種々の変更設定が可能である。
この球状の場合のように、「キャップ本体１の底面１ｂ及び側周面９に亘って被さる状態」とは、底面１ｂと側周面９（下部側周面１ｄ）とが境目の無い連続した形状のものに被さる状態も含んでいる。
【００３０】
エラストマー（エラストマー樹脂）とは、常温で大きな弾性（可撓性）を有する高分子物質の総称であり、ＴＰＥ（Ｔｈｅｒｍｏ‐Ｐｌａｓｔｉｃ  Ｅｌａｓｔｏｍｅｒ）、ＴＰＲ（Ｔｈｅｒｍｏ‐Ｐｌａｓｔｉｃ  Ｒｕｂｂｅｒ）、ゴム、合成ゴム、ＥＰＤＭ、その他の各種材料が使用可能である。
また、キャップ本体１、キャップ上部３、接地部材２の材質も種々の変更設定が可能であるし、キャップ上部３に凸部１ｔが、かつ、キャップ本体１に凹部３ｃが形成されてなる凹凸嵌合部１０でも良い。
【符号の説明】
【００３１】
１          キャップ本体
１ｂ        底面
１ｔ        凸部
２          接地部材
３          キャップ上部
３ｃ        凹部
４          脚先端部
４ａ        脚先端
５          側周壁部
９          側周面
１０        凹凸嵌合部
【図１】
2015134076.tif 000003
【図２】
2015134076.tif 000004
【図３】
2015134076.tif 000005
【図４】
2015134076.tif 000006
【図５】
2015134076.tif 000007